(57)【特許請求の範囲】
【請求項１】
所定の範囲に通信用電波を送信する通信装置から、無線端末が受信した前記通信用電波に含まれる、前記通信装置の位置情報を記憶する記憶手段と、
前記記憶手段に前記位置情報を記憶された前記通信装置から、前記通信装置に予め設定された識別情報を取得する識別情報取得手段と、
前記識別情報取得手段により得られた識別情報に対応する電波範囲取得用パラメータに含まれる前記通信装置から地面又は床面までの設置高さ及び前記通信装置の送信出力に応じて、電波範囲を取得する電波範囲取得手段と、
前記電波範囲取得手段により得られた電波範囲を、前記無線端末の所在範囲として、所定のマップの所定位置に表示する画面を生成する画面生成手段とを有することを特徴とする電波範囲表示装置。
【請求項２】
前記電波範囲を画像データとして予め記憶する記憶手段を有し、
前記画面生成手段は、
前記記憶手段により記憶した画像データを用いて、前記電波範囲を前記所定のマップの所定位置に表示する画面を生成することを特徴とする請求項１に記載の電波範囲表示装置。
【請求項３】
前記画面生成手段は、
前記所定のマップの縮尺に対応させて、前記電波範囲を変更し、変更した前記電波範囲に対応する前記画像データを前記所定のマップの所定位置に表示する画面を生成することを特徴とする請求項２に記載の電波範囲表示装置。
【請求項４】
所定の範囲に通信用電波を送信する通信装置から、無線端末が受信した前記通信用電波に含まれる、前記通信装置の位置情報を記憶する記憶手順と、
前記記憶手順により前記位置情報を記憶された前記通信装置から、前記通信装置に予め設定された識別情報を取得する識別情報取得手順と、
前記識別情報取得手順により得られた識別情報に対応する電波範囲取得用パラメータに含まれる前記通信装置から地面又は床面までの設置高さ及び前記通信装置の送信出力に応じて、電波範囲を取得する電波範囲取得手順と、
前記電波範囲取得手順により得られた電波範囲を、前記無線端末の所在範囲として、所定のマップの所定位置に表示する画面を生成する画面生成手順とを有することを特徴とする電波範囲表示方法。
【請求項５】
コンピュータを、
請求項１乃至３のいずれか一項に記載の電波範囲表示装置が有する各手段として機能させるための電波範囲表示プログラム。
【発明の詳細な説明】
【技術分野】
【０００１】
本願は、電波範囲表示装置、電波範囲表示方法、及び電波範囲表示プログラムに関する。
【背景技術】
【０００２】
従来では、所定の位置に設置された通信装置の位置情報を受信した無線端末や、無線端末を保持する人物、物品等の位置を把握して管理するための位置情報管理システムが知られている。このような位置情報管理システムでは、通信装置から送信される電波が届く範囲が無線端末の位置となる。また、無線通信システムにおける無線機器の配置場所を決定するため、各チャンネルの電界強度分布をグラフで表示する方法が知られている（例えば、特許文献１参照）。
【発明の概要】
【発明が解決しようとする課題】
【０００３】
しかしながら、上述した従来の手法では、無線端末の位置を表示する場合に、実際の無線端末の位置は、通信装置の電波範囲のいずれかの位置であるにもかかわらず、通信装置の位置がそのまま無線端末の位置として表示されてしまう。また、従来の手法のように、単に各チャンネルの電界強度分布がグラフで表示されるだけでは、通信装置の位置からどの程度の範囲が無線端末の所在対象範囲となるか把握することができない。
【０００４】
開示の技術は、上記の課題に鑑みてなされたものであり、通信装置の電波範囲を表示する電波範囲表示装置、電波範囲表示方法、及び電波範囲表示プログラムを提供することを目的とする。
【課題を解決するための手段】
【０００５】
本発明の一観点によれば、上記目的を達成するために、電波範囲表示装置は、所定の範囲に通信用電波を送信する通信装置から、無線端末が受信した前記通信用電波に含まれる、前記通信装置の位置情報を記憶する記憶手段と、前記記憶手段に前記位置情報を記憶された前記通信装置から、前記通信装置に予め設定された識別情報を取得する識別情報取得手段と、前記識別情報取得手段により得られた識別情報に対応する電波範囲取得用パラメータに含まれる前記通信装置から地面又は床面までの設置高さ及び前記通信装置の送信出力に応じて、電波範囲を取得する電波範囲取得手段と、前記電波範囲取得手段により得られた電波範囲を、前記無線端末の所在範囲として、所定のマップの所定位置に表示する画面を生成する画面生成手段とを有することを特徴とする。
【発明の効果】
【０００６】
開示の技術によれば、通信装置の電波範囲を表示することが可能となる。
【図面の簡単な説明】
【０００７】
【図１】本実施形態に係る位置情報管理システムの概略構成の一例を示す図である。
【図２】位置情報管理システムを構成するネットワークの一例を示す図である。
【図３】本実施形態に係る通信装置の機能ブロックの一例を示す図である。
【図４】本実施形態に係る管理装置の機能ブロックの一例を示す図である。
【図５】本実施形態に係る通信装置のハードウェア構成の一例を示す図である。
【図６】本実施形態に係る管理装置のハードウェア構成の一例を示す図である。
【図７】本実施形態に係る電波範囲表示処理の流れを示すフローチャートである。
【図８】本実施形態に係る記憶手段が保持するテーブルの一例を示す図である。
【図９】本実施形態に係る記憶手段が保持する画像データの一例を示す図である。
【図１０】本実施形態に係る電波範囲表示の具体例を示す図である。
【発明を実施するための形態】
【０００８】
以下、本発明の実施の形態について詳細に説明する。
【０００９】
＜位置情報管理システム：概略構成＞
図１は、本実施形態に係る位置情報管理システムの概略構成の一例を示す図である。図１に示すように、本実施形態に係る位置情報管理システム１は、通信装置１０−１〜１０−４と、無線端末１１−１〜１１−３と、ゲートウェイ装置１２と、管理装置１３とを有するように構成される。通信装置１０−１〜１０−４と、無線端末１１−１〜１１−３と、ゲートウェイ装置１２とは、無線ネットワーク１４を介して接続される。ゲートウェイ装置１２と、管理装置１３とは、ネットワーク１５を介して接続される。
【００１０】
通信装置１０−１〜１０−４は、例えば部屋の天井等に設置される。通信装置１０−１〜１０−４は、独立した筐体を有し、予め設置された電源から給電されて動作するか、ＬＥＤ（Ｌｉｇｈｔ  Ｅｍｉｔｔｉｎｇ  Ｄｉｏｄｅ）蛍光管のような照明器具に組み込まれ、照明器具から給電されて動作する。なお、通信装置１０−１〜１０−４は、以下の説明で、適宜、通信装置１０と称して説明する。
【００１１】
通信装置１０は、無線信号（通信用電波）によりそれぞれの設置位置に係る位置情報（例えば経緯情報や、建物の階数、棟番号等の情報）を連続的又は断続的に、所定の範囲に対して送信する。ここで、所定の範囲は、通信装置１０の電波範囲を示し、通信装置１０から地面又は床面までの設置高さや、送信出力、アンテナの指向性等によって決定される。
【００１２】
なお、通信装置１０は、管理対象となる領域がそれぞれ重複しないように配置されるが、例えば管理対象となる領域が重複する場合には、位置情報を受信する無線端末１１が、受信電波の強度に基づいていずれか１つの通信装置１０を決定するように構成される。
【００１３】
図１の例では、通信装置１０の下方に示される円錐形の点線が、所定の範囲を示している。通信装置１０は、例えば、地上補完信号（Ｉｎｄｏｏｒ  Ｍｅｓｓａｇｉｎｇ  Ｓｙｓｔｅｍ：ＩＭＥＳ）や、無線ネットワーク１４を介して無線端末１１に位置情報を送信する。
【００１４】
また、通信装置１０は、予め設定された固有の識別情報をそれぞれ保持する。通信装置１０は、例えば管理装置１３から要求があると、無線ネットワーク１４やゲートウェイ装置１２等を介して保持している識別情報を管理装置１３に送信する。本実施形態では、後述するように、管理装置１３が通信装置１０の識別情報を用いて、通信装置１０の電波範囲を表示する。
【００１５】
無線端末１１−１〜１１−３は、通信装置１０−１〜１０−４の内、最寄の通信装置１０から無線信号を受信する。図１の例では、無線端末１１は、位置を管理する直方体の管理対象物に付されているがこれには限定されない。無線端末１１は、例えば自らの電波を送信可能なアクティブタグのような端末である。なお、無線端末１１−１〜１１−３は、以下の説明で、適宜、無線端末１１と称して説明する。
【００１６】
無線端末１１は、通信装置１０から位置情報を受信すると、例えばＩＥＥＥ８０２．１５．４及びＺｉｇＢｅｅ（登録商標）のような近距離無線通信により、受信した位置情報と、自らの端末情報とを通信装置１０に送信する。なお、無線端末１１の端末情報としては、例えばＩＥＥＥ８０２．１５．４の短縮アドレスやＩＥＥＥ拡張（ＭＡＣ）アドレス等を用いると良い。
【００１７】
例えば、通信装置１０−１に送信された無線端末１１−１の端末情報と位置情報は、無線ネットワーク１４を介して隣接する通信装置１０−２を経由してゲートウェイ装置１２に送信される。なお、無線端末１１の送受信動作は、予め設定されたタイミングか、無線端末１１が有する加速度センサによる加速度変化が検出されたタイミングに行うと良い。
【００１８】
ゲートウェイ装置１２は、例えば建物のフロアごと、又は壁等で仕切られた部屋ごとに設置される。ゲートウェイ装置１２は、無線ネットワーク１４とネットワーク１５とを相互に接続し、無線ネットワーク１４側から送信された情報をネットワーク１５にブリッジする。ゲートウェイ装置１２は、無線ネットワーク１４が、例えばＩＥＥＥ８０２．１５．４やＺｉｇＢｅｅ規格によるＰＡＮ（Ｐｅｒｓｏｎａｌ  Ａｒｅａ  Ｎｅｔｗｏｒｋ）を構成し、ネットワーク１５がＩＥＥＥ８０２．３規格に基づくＬＡＮである場合、無線ネットワーク１４とネットワーク１５との間で通信方式の変換を行う。
【００１９】
このように、ゲートウェイ装置１２は、ネットワーク１５を介して管理装置１３に、通信装置１０から受信した識別情報や、無線端末１１の端末情報及び位置情報を送信する。なお、ゲートウェイ装置１２は、無線端末１１の端末情報が、例えばＩＥＥＥ８０２．１５．４の短縮アドレスで表されている場合、ＰＡＮ構成時の情報に基づき、ＩＥＥＥ拡張アドレスに変換して、管理装置１３に送信すると良い。
【００２０】
管理装置１３は、ゲートウェイ装置１２を介して通信装置１０から識別情報や、無線端末１１の端末情報及び位置情報を受信する。管理装置１３は、受信した無線端末１１の端末情報と位置情報とに基づき、無線端末１１の位置を管理する。
【００２１】
管理装置１３は、無線端末１１の位置を確認するような場合、例えば画面に表示されたフロアマップ上に通信装置１０の電波範囲を表示する。無線端末１１は、位置情報を受信した通信装置１０の電波範囲内に存在するため、その通信装置１０の電波範囲を表示することにより、無線端末１１の所在をより効率良く探索することが可能となる。本実施形態では、管理装置１３が電波範囲表示装置に相当する。
【００２２】
なお、管理装置１３による電波範囲表示のための具体的な処理については後述する。また、管理装置１３は、ゲートウェイ装置１２の機能を統合しても良い。
【００２３】
無線ネットワーク１４は、例えばＩＥＥＥ８０２．１５．４及びＺｉｇＢｅｅ規格によるＰＡＮを構成する。この場合、無線端末１１と、通信装置１０と、ゲートウェイ装置１２はそれぞれＺｉｇＢｅｅ規格で定められるエンドデバイス機能、ルータ機能、コーディネータ機能を有する。また、通信装置１０と無線端末１１が、例えば起動時において、ゲートウェイ装置１２の管理下に入り、ＰＡＮを構成することにより、ゲートウェイ装置１２への最小経路が決定される。
【００２４】
なお、無線ネットワーク１４は、例えば「Ｂｌｕｅｔｏｏｔｈ  ＬＥ」、「ＡＮＴ」、「Ｚ−Ｗａｖｅ」等の近距離無線通信を用いて構成しても良い。
【００２５】
ネットワーク１５は、例えばＩＥＥＥ８０２．３規格で定められるＬＡＮであるが、例えばインターネット等、複数の種類のネットワークを含んでも良い。
【００２６】
なお、上述した無線端末１１は、スマートフォン、ＰＤＡ（Ｐｅｒｓｏｎａｌ  Ｄｉｇｉｔａｌ  Ａｓｓｉｓｔａｎｔ）、ＰＣ（Ｐｅｒｓｏｎａｌ  Ｃｏｎｐｕｔｅｒ）又はスマートメータのような、アクティブタグと同等の機能を有する無線端末であっても良い。また、位置管理対象が人物であっても良い。
【００２７】
＜無線ネットワーク１４＞
図２は、位置情報管理システムを構成するネットワークの一例を示す図である。図２に示すように、図１に示す位置情報管理システム１は、通信装置１０−１〜１０−４と、無線端末１１−１〜１１−３と、ゲートウェイ装置１２とが、無線ネットワーク１４を介して接続されている。例えば、図２の点線に示すように、無線端末１１−１〜１１−２の情報は、無線端末１１−１〜１１−２から通信装置１０−１に送信され、通信装置１０−１から他の通信装置１０−２〜１０−４を介してゲートウェイ装置１２に送信される。
【００２８】
なお、図１及び図２に示す通信装置１０及び無線端末１１の数や配置はこれに限定されるものではない。
【００２９】
＜通信装置１０：機能ブロック＞
図３は、本実施形態に係る通信装置の機能ブロックの一例を示す図である。図３に示すように、通信装置１０は、通信手段２０と、記憶手段２１と、制御手段２２とを有するように構成される。
【００３０】
通信手段２０は、位置情報送信手段２０Ａと、識別情報送信手段２０Ｂと、端末情報送受信手段２０Ｃとを有するように構成される。
【００３１】
位置情報送信手段２０Ａは、所定の範囲にある無線端末１１−１〜１１−３に対して、連続的又は断続的に、位置情報２１Ａを無線送信する。なお、位置情報２１Ａは、例えばＩＭＥＳの通信方式を用いる場合には、ＩＭＥＳに規定されるフォーマットを用いて送信されると良いが、これに限定されるものではない。
【００３２】
識別情報送信手段２０Ｂは、管理装置１３からの要求に応じて、ゲートウェイ装置１２を介して管理装置１３に識別情報２１Ｂを送信する。
【００３３】
端末情報送受信手段２０Ｃは、無線端末１１から端末情報及び位置情報を受信する。また、端末情報送受信手段２０Ｃは、無線端末１１から端末情報及び位置情報を受信すると、ゲートウェイ装置１２を介して管理装置１３に送信する。
【００３４】
上述したように、例えば無線ネットワーク１４がＺｉｇＢｅｅ規格で構成される場合には、通信装置１０は、ゲートウェイ装置１２に対して、保持するルーティング情報を用いて、識別情報２１Ｂや無線端末１１の位置情報及び端末情報を送信すると良い。
【００３５】
記憶手段２１は、例えば位置情報２１Ａや識別情報２１Ｂを記憶するが、これに限定されるものではない。
【００３６】
位置情報２１Ａは、階数、緯度、経度、棟番号等の情報を含む。階数は、通信装置１０が設置される建物の階数を示し、緯度及び経度は、通信装置１０の所在する位置の緯度及び経度を示す。棟番号は、通信装置１０が設置される建物の棟番号を示す。なお、位置情報２１Ａは、例えば部屋の中の区画を表す情報のような、より細かな位置を特定する情報を含んでも良い。
【００３７】
識別情報２１Ｂは、通信装置１０に対して予め設定された固有の識別情報（ＩＤ）等を含む。
【００３８】
制御手段２２は、通信装置１０の動作を制御する。なお、通信装置１０と、無線端末１１と、ゲートウェイ装置１２とがＺｉｇＢｅｅを用いてＰＡＮを構成する場合には、通信装置１０がルータ機能を提供するよう制御される。
【００３９】
上述した構成により、通信装置１０は、管理装置１３からの要求に応じて、ゲートウェイ装置１２を介して識別情報を管理装置１３に送信する。また、通信装置１０は、位置情報を無線端末１１に送信して、無線端末１１から端末情報及び位置情報を受信すると、ゲートウェイ装置１２を介して管理装置１３に送信することが可能となる。
【００４０】
＜管理装置１３：機能ブロック＞
図４は、本実施形態に係る管理装置の機能ブロックの一例を示す図である。図４に示すように、管理装置１３は、入力手段３０と、表示手段３１と、電波範囲取得手段３２と、画面生成手段３３と、通信手段３４と、記憶手段３５と、制御手段３６とを有するように構成される。
【００４１】
入力手段３０は、ゲートウェイ装置１２を介して通信装置１０の識別情報を取得したり、無線端末１１の位置を探索したりするためのユーザの入力を受け付ける。また、入力手段３０は、通信装置１０の電波範囲を決定するために用いられる電波範囲取得用パラメータを受け付けることも可能である。
【００４２】
表示手段３１は、例えばＧＵＩ（Ｇｒａｐｈｉｃａｌ  Ｕｓｅｒ  Ｉｎｔｅｒｆａｃｅ）等により構成され、画面生成手段３３により生成された画面を表示する。なお、表示手段３１は、無線端末１１−１〜１１−３が付された管理対象物の所有部署や機器名を画面に一覧表示したり、ユーザが入力手段３０により検索したい機器のチェックボックスを選択した場合に、検索結果の画面を表示したりしても良い。
【００４３】
電波範囲取得手段３２は、通信手段３４により通信装置１０の識別情報を取得すると、記憶手段３５に記憶されている通信装置情報３５Ｃから識別情報に対応する電波範囲取得用パラメータを取得する。また、電波範囲取得手段３２は、記憶手段３５に記憶されている電波範囲情報３５Ｄから電波取得用パラメータに対応する電波範囲を取得する。
【００４４】
画面生成手段３３は、電波範囲取得手段３２により得られた電波範囲を、所定のマップの所定位置に表示する画面を生成する。画面生成手段３３は、例えば記憶手段３５に記憶されている画像データ３５Ａを用いて、通信装置１０の電波範囲を所定のマップ（例えば通信装置１０が設置されたフロアマップ等）の所定位置（例えば通信装置１０の設置位置）に表示する。
【００４５】
なお、画面生成手段３３は、所定のマップの縮尺に対応させて電波範囲を変更し、変更した電波範囲に対応する画像データ３５Ａを、所定のマップの所定位置に表示する画面を生成すると良い。
【００４６】
通信手段３４は、ゲートウェイ装置１２を介して無線ネットワーク１４に属する通信装置１０や無線端末１１とデータを送受信する。すなわち、通信装置１０に対して識別情報を送信するように要求したり、通信装置１０から識別情報を受信したりする。通信手段３４は、識別情報取得手段に相当する。
【００４７】
また、通信手段３４は、例えば携帯端末等の外部機器に対して画面生成手段３３により生成された電波範囲を表示する画面を送信したり、無線端末１１の位置情報等を送信したりしても良い。また、通信手段３４は、通信装置１０が自らの送信出力情報を保持している場合には、通信装置１０から送信出力情報を取得しても良い。また、通信手段３４は、通信装置１０を介して無線端末１１から送信された端末情報及び位置情報を受信すると、記憶手段３５に受信日時とともに記憶する。
【００４８】
記憶手段３５は、例えば画像データ３５Ａと、フロアマップ３５Ｂと、通信装置情報３５Ｃと、電波範囲情報３５Ｄと、位置管理情報３５Ｅ等を記憶するが、これに限定されるものではない。
【００４９】
画像データ３５Ａは、通信装置１０の電波範囲を表示するための丸枠等の画像データを含む。画像データは、例えばビットマップ等のイメージデータにより構成される。画像データ３５Ａの一例については後述する。
【００５０】
フロアマップ３５Ｂは、通信装置１０が配置された建物のフロアマップや画面に表示されるときのフロアマップの縮尺情報等を含む。なお、マップの内容は、フロアに限定されるものではなく、屋外であっても良い。フロアマップ３５Ｂの一例については後述する。
【００５１】
通信装置情報３５Ｃは、通信装置１０に関する関連情報を格納するテーブルである。通信装置情報３５Ｃは、例えば項目として、通信装置ＩＤ、設置位置、設置高さ、送信出力等を含む。通信装置ＩＤは、例えば通信装置１０に予め設定された固有のＩＤ（識別情報）を示す。設置位置は、例えば通信装置１０が設置されている建物や階数の設置位置等を示す。
【００５２】
また、設置高さは、例えば通信装置１０から地面又は床面までの高さ（天井高）等を示す。送信出力は、例えば通信装置１０の通信用電波の送信出力等を示す。なお、設置高さ及び送信出力は、電波範囲取得用パラメータに相当する。通信装置情報３５Ｃの一例については後述する。
【００５３】
電波範囲情報３５Ｄは、例えば通信装置１０の設置高さ及び送信出力に対応する電波範囲の半径等の情報を格納するテーブルである。電波範囲は、例えば実証実験等により得た値である。なお、電波範囲情報３５Ｄの一例については後述する。
【００５４】
位置管理情報３５Ｅは、例えば無線端末１１の位置情報を管理するテーブルである。位置管理情報３５Ｅは、例えば無線端末１１の端末情報、無線端末１１が付された機器名、無線端末１１又は無線端末１１が付された機器を所有する所有部署、位置情報（緯度、経度、階数、棟）、受信日時等の情報を含む。
【００５５】
制御手段３６は、管理装置１３の各構成を制御する。
【００５６】
上述した構成により、管理装置１３は、通信装置１０の電波範囲を表示して、無線端末１１の所在を容易に探索することが可能となる。
【００５７】
＜通信装置１０：ハードウェア構成＞
図５は、本実施形態に係る通信装置のハードウェア構成の一例を示す図である。図５に示すように、通信装置１０は、ＣＰＵ（Ｃｅｎｔｒａｌ  Ｐｒｏｃｅｓｓｉｎｇ  Ｕｎｉｔ）４０と、ＲＡＭ（Ｒａｎｄｏｍ  Ａｃｃｅｓｓ  Ｍｅｍｏｒｙ）４１と、ＲＯＭ（Ｒｅａｄ  Ｏｎｌｙ  Ｍｅｍｏｒｙ）４２と、位置信号送信制御部４３と、位置信号送信部４４と、無線通信制御部４５と、無線通信部４６とを有するように構成される。なお、これらの装置は、バス４７を介して接続される。
【００５８】
ＣＰＵ４０は、通信装置１０の動作制御を行うプログラムを実行する。ＲＡＭ４１は、ＣＰＵ４０のワークエリア等を構成する。ＲＯＭ４２は、ＣＰＵ４０が実行するプログラムに加えて、通信装置１０の識別情報や位置情報を記憶する。
【００５９】
位置信号送信制御部４３は、位置信号送信部４４を介して通信装置１０の位置情報を示す測位信号を送信するための処理の実行を制御する。位置信号送信部４４は、例えばＩＭＥＳのような測位信号を送出するアンテナを含む。
【００６０】
無線通信制御部４５は、無線通信部４６を介した無線通信処理の実行を制御する。無線通信部４６は、例えばＩＥＥＥ８０２．１５．４規格に適合する電波を送受信可能なアンテナを含む。バス４７は、これらの装置を電気的に接続する。
【００６１】
上述した構成を有することにより、通信装置１０は、管理装置１３からの要求に応じて、ゲートウェイ装置１２を介して識別情報を管理装置１３に送信することが可能となる。また、通信装置１０は、無線端末１１に対して位置情報を送信して、無線端末１１から端末情報及び位置情報を受信すると、ゲートウェイ装置１２を介して管理装置１３に端末情報及び位置情報を送信することが可能となる。
【００６２】
なお、位置情報を無線通信制御部４５と無線通信装置４６によって送信する場合には、位置信号送信制御部４３と位置信号送信部４４とは不要となる。
【００６３】
＜管理装置１３：ハードウェア構成＞
図６は、本実施形態に係る管理装置のハードウェア構成の一例を示す図である。管理装置１３は、ＣＰＵ５０と、ＲＡＭ５１と、ＲＯＭ５２と、ＨＤＤ（Ｈａｒｄ  Ｄｉｓｋ  Ｄｒｉｖｅ）５３と、通信制御部５４と、通信部５５と、表示制御部５６と、表示部５７と、入力制御部５８と、入力部５９とを有するように構成される。なお、これらの装置は、バス６０を介して接続される。
【００６４】
ＣＰＵ５０は、管理装置１３の動作制御を行うプログラムを実行する。ＲＡＭ５１は、ＣＰＵ５０のワークエリア等を構成する。ＲＯＭ５２は、ＣＰＵ５０が実行するプログラムやプログラムが使用するデータを記憶する。
【００６５】
ＨＤＤ５３は、位置情報管理システム１で用いられる通信装置１０の電波範囲を表示するための情報や、無線端末１１の位置を管理したりするための情報を記憶する。なお、ＨＤＤ５３は、テープドライブを含むあらゆる記憶装置であっても良く、ネットワークを介してアクセス可能なストレージ領域であっても良い。
【００６６】
通信制御部５４は、通信部５５を介した通信処理の実行を制御する。通信部５５は、例えばＩＥＥＥ８０２．３規格に適合するネットワークインターフェースを有する。
【００６７】
表示制御部５６は、各構成の処理内容に合わせて、表示部５７に表示される内容を制御する。表示部５７は、例えば液晶ディスプレイやＣＲＴ（Ｃａｔｈｏｄｅ  Ｒａｙ  Ｔｕｂｅ）ディスプレイ等を含む。
【００６８】
入力制御部５８は、入力部５９からの信号処理の実行を制御する。入力部５９は、ユーザからの入力を受け付けるキーボード、マウス等のポインティングデバイスである。バス６０は、これらの装置を電気的に接続する。
【００６９】
上述した構成を有することにより、管理装置１３は、通信装置１０の電波範囲を表示して、無線端末１１の所在を容易に探索することが可能となる。なお、管理装置１３は、ゲートウェイ装置１２が有する無線通信用の制御部及び装置を備えることで、ゲートウェイ装置１２の処理を実行しても良い。
【００７０】
＜電波範囲表示処理＞
図７は、本実施形態に係る電波範囲表示処理の流れを示すフローチャートである。図７に示すように、管理装置１３は、通信手段３４により通信装置１０の識別情報（ＩＤ）を受信したか否か判断する（Ｓ１０）。通信装置１０の識別情報を受信していないと判断した場合（Ｓ１０において、ＮＯ）、Ｓ１０の処理を続ける。
【００７１】
管理装置１３は、通信装置１０の識別情報を受信したと判断した場合（Ｓ１０において、ＹＥＳ）、電波範囲取得手段３２により、通信装置情報３５Ｃを参照して、受信した識別情報に対応する通信装置１０を判断する（Ｓ１１）。
【００７２】
次に、電波範囲取得手段３２は、通信装置情報３５ＣからＳ１１の処理で判断した通信装置１０の設置高さ、送信出力を取得すると、電波範囲情報３２Ｄから通信装置１０の電波範囲（半径）を取得する（Ｓ１２）。
【００７３】
次に、管理装置１３は、画面生成手段３３により、フロアマップ３５Ｂから通信装置１０が設置されているフロアマップ及びフロアマップの縮尺情報を取得し、縮尺情報に基づき、Ｓ１２の処理で取得した電波範囲を変更して、フロアマップの縮尺と同一縮尺とする（Ｓ１３）。
【００７４】
次に、画面生成手段３３は、変更した電波範囲に対応した画像データ３５Ａをフロアマップ上の通信装置１０の設置位置に表示し（Ｓ１４）、処理を終了する。
【００７５】
上述した処理により、通信装置１０が設置されているフロアマップ上に通信装置１０の電波範囲を表示することが可能となる。
【００７６】
＜記憶手段が保持するテーブル例＞
図８は、本実施形態に係る記憶手段が保持するテーブルの一例を示す図である。図８（Ａ）は、通信装置情報３５Ｃのテーブルの一例を示している。また、図８（Ｂ）は、電波範囲情報３５Ｄのテーブルの一例を示している。
【００７７】
図８（Ａ）に示す通信装置情報３５Ｃのテーブルは、例えば項目として、「通信装置ＩＤ」、「設置位置」、「設置高さ」、「送信出力」等を含む。「通信装置ＩＤ」は、例えば「ＳＵＮ００１」等の通信装置１０に予め設定された固有のＩＤ（識別情報）を示す。「設置位置」は、通信装置１０の設置位置等を示し、例えば「Ａ０４Ｆ−００１」の場合には、「Ａ棟４階００１」の位置に、通信装置１０が設置されていることを示す。
【００７８】
また、「設置高さ」は、通信装置１０の天井高を示し、「送信出力」は、通信装置１０の送信出力を示している。
【００７９】
図８（Ｂ）に示す電波範囲情報３５Ｄのテーブルは、通信装置１０の送信出力［ｄＢｍ］と設置高さ［ｍ］との関係から得られる通信装置１０の電波範囲（半径［ｍ］）等の情報が格納されている。なお、通信装置１０−１〜１０−４のアンテナに指向性がある場合には、更にアンテナの指向性を加味した電波範囲の値を用いると良い。
【００８０】
本実施形態における通信装置情報３５Ｃ及び電波範囲情報３５Ｄに含まれる項目は、上述した内容に限定されるものではない。
【００８１】
＜画像データ例＞
図９は、本実施形態に係る記憶手段が保持する画像データの一例を示す図である。図９（Ａ）は、通信装置１０が設置されているフロアマップの一例を示し、図９（Ｂ）は、電波範囲を示す画像データの一例を示している。
【００８２】
＜電波範囲表示処理の具体例＞
ここで、上述した図８及び図９に示すデータを用いて、図７に示す処理の具体例について説明する。管理装置１３は、図７のＳ１１の処理において、通信装置１０から取得した通信装置ＩＤ（識別情報）が「ＳＵＮ００１」である場合、通信装置情報３５Ｃから、通信装置１０の設置位置は「Ａ０４Ｆ−００１」、設置高さは「２．５［ｍ］」、送信出力は「−６７［ｄＢｍ］」であると判断する。
【００８３】
次に、管理装置１３は、Ｓ１２の処理において、電波範囲情報３２Ｄを参照して、通信装置１０の設置高さ「２．５［ｍ］」、送信出力「−６７［ｄＢｍ］」に対応する電波範囲が半径「５．５［ｍ］」であると判断する。
【００８４】
次に、管理装置１３は、Ｓ１３の処理において、フロアマップ３５Ｂから通信装置１０が設置されているフロアマップ（例えば図９（Ａ）に示すフロアマップ）及びフロアマップの縮尺情報（例えば１／１５０）を取得する。
【００８５】
ここで、管理装置１３は、例えば、電波範囲の半径「５．５［ｍ］」×１／１５０≒３．７［ｃｍ］により、フロアマップの縮尺に対応させた電波範囲の半径が３．７［ｃｍ］であると判断する。
【００８６】
次に、管理装置１３は、Ｓ１４の処理において、図９（Ｂ）に示す画像データの半径を３．７［ｃｍ］に変更して、図９（Ａ）に示すフロアマップ上の通信装置１０の設置位置（例えば「００１」）に、画像データの円の中心を合わせて重ねる。これにより、図９（Ａ）に示すフロアマップ上に通信装置１０の電波範囲を表示することが可能となる。
【００８７】
＜電波範囲表示の具体例＞
図１０は、本実施形態に係る電波範囲表示の具体例を示す図である。図１０に示すように、例えば画面に表示されるＡ棟４階のフロアマップ上には、通信装置１０の設置位置（例えば「００１」の位置）を円の中心として、通信装置１０の電波範囲を示す画像データが表示されている。
【００８８】
上述したように、通信装置１０の電波範囲を示す画像データの円の範囲は、画面に表示されるフロアマップの縮尺に対応して変更されているため、フロアマップ上には通信装置１０の電波範囲を適切に表示することが可能となる。
【００８９】
したがって、例えば記憶手段３５に、通信装置１０の識別情報と位置情報とを対応させて記憶しておき、通信装置１０の位置情報を受信した無線端末１１の位置を確認したいときには、その通信装置１０の電波範囲を表示することで、無線端末１１の所在範囲を容易に把握することが可能となる。
【００９０】
上述したように、本発明の実施形態によれば、通信装置の電波範囲を表示することが可能となる。
【００９１】
以上、本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００９２】
１０  通信装置
１１  無線端末
１２  ゲートウェイ装置
１３  管理装置
１４  無線ネットワーク
１５  ネットワーク
２０，３４  通信手段
２０Ａ  位置情報送信手段
２０Ｂ  識別情報送信手段
２０Ｃ  端末情報送受信手段
２１，３５  記憶手段
２２，３６  制御手段
３０  入力手段
３１  表示手段
３２  電波範囲取得手段
３３  画面生成手段
４０、５０  ＣＰＵ
４１，５１  ＲＡＭ
４２，５２  ＲＯＭ
４３  位置信号送信制御部
４４  位置信号送信部
４５  無線通信制御部
４６  無線通信部
４７，６０  バス
５３  ＨＤＤ
５４  通信制御部
５５  通信部
５６  表示制御部
５７  表示部
５８  入力制御部
５９  入力部
【先行技術文献】
【特許文献】
【００９３】
【特許文献１】特開２０１１−１１４４１６号公報
【図１】
0006051603.tif 000002
【図２】
0006051603.tif 000003
【図３】
0006051603.tif 000004
【図４】
0006051603.tif 000005
【図５】
0006051603.tif 000006
【図６】
0006051603.tif 000007
【図７】
0006051603.tif 000008
【図８】
0006051603.tif 000009
【図９】
0006051603.tif 000010
【図１０】
0006051603.tif 000011